(57)【特許請求の範囲】
【請求項１】
印字部を内蔵した印字装置と、
前記印字装置の前面に設けられた表示部と、
前記印字装置の前面に設けられた入力装置と、
前記印字装置にその後方から連続紙を給紙するトラクタと、
前記トラクタの上部に配置されて前記印字装置に後端上がりの傾斜で保持した単票を給紙するオートシートフィーダと、
前記印字装置の後方に配置されて前記オートシートフィーダを給紙位置と前記トラクタの上面を開放する後方位置とのいずれかの位置で選択的に支持する支持手段と、
前記印字装置に設けられた前記トラクタが連結される給紙口と前記オートシートフィーダが連結される給紙口とが連絡し、それぞれの給紙口から給紙された単票又は連続紙を前記印字部経由で前記印字装置の上面に導き後方側に向けて排紙させる用紙搬送路と、
前記印字装置の上方で一端を回動自在に支持され、排紙された前記単票が立てかけ状態で積載されるスタック位置と、他端を前記オートシートフィーダの後端近傍へ位置させるカバー位置と、前記他端を前面側へ位置させた給紙作業用位置とのいずれかの位置に選択的に位置決め可能に設けられた排紙受けと、
を備え、前記カバー位置に位置する前記排紙受けで前記オートシートフィーダを覆い、前記トラクタから給紙されて前記印字部で印字された連続紙の先端が前記オートシートフィーダ内に入り込むことを防止できるようにした、事務機。
【請求項２】
前記排紙受けは、前記印字装置の上方で一端を回動自在に支持された第一排紙受けとこの第一排紙受けよりも短い第二排紙受けとからなり、前記第二排紙受けは、前記第一排紙受けに重なる位置と前記第一排紙受けの他端から延出する位置とのいずれかの位置に選択的に位置決め可能に設けられている請求項１記載の事務機。
【発明の詳細な説明】
【０００１】
【発明の属する技術分野】
本発明は、前面に表示部や入力装置を備える印字装置の背面にオートシートフィーダやトラクタが設けられた事務機に関する。
【０００２】
【従来の技術】
従来、印字部を内蔵した本体ケースの前面に表示部や入力装置を備える印字装置に、その背面側から、印字部へ連絡される用紙搬送路へ単票を給紙するオートシートフィーダや、連続紙を給紙するトラクタが連結された事務機が用いられている。印字装置は、印字部へ印字媒体を導く用紙搬送路へ連絡する給紙口を複数備え、オートシートフィーダ及びトラクタはそれぞれ別の給紙口に接続される。一般に、オートシートフィーダをトラクタの上方へ位置させて配設される。また、用紙搬送路は、印字後の印字媒体を排紙する排紙口へ連絡している。排紙口は、前面に表示部や入力装置があるため、本体ケースの上面に形成される。
【０００３】
【発明が解決しようとする課題】
このような構造であると、オートシートフィーダがトラクタの上方に位置しているため、トラクタで連続紙を給紙して印字した場合、排紙された連続紙がオートシートフィーダ内に入り込んだり、オートシートフィーダの上面を伝って印字装置内へ入り込む可能性がある。
【０００４】
このため、オートシートフィーダにカバーを設ける等の対応がされている。しかし、オートシートフィーダにカバーが設けられていると、オートシートフィーダへの単票の補充或いは交換の際に、いちいちカバーを取り外さなければならず、外したカバーを置くスペースも必要となる。
【０００５】
また、オフィス等では、スペースの都合で事務機の隣に他の器物が配置されている場合が多々ある。この場合には、印字装置の前面側からオートシートフィーダ又はトラクタへの用紙の補給或いは交換を行うことになるが、トラクタへの作業に際して、トラクタの上部にオートシートフィーダが配置されているとトラクタが見にくいため、連続紙の補給・交換作業が煩雑となる。この煩雑さはオートシートフィーダをトラクタよりさらに後方に配置することにより緩和されると思うが、奥行き方向のスペースが増大するため実用的でない。特に、前面側にキーボードを具備する事務機の場合は、奥行き方向のスペースが少ないと、キーボードを机の手前に置かなければならなくなる。この場合にはキーボードを操作するときに机の上に腕を置くことができず、操作性が悪くなるという問題が生ずる。
【０００６】
本発明は、オートシートフィーダへの印字媒体の補充及び交換の利便性を損わずに容易な手法で連続紙の排紙経路を確保することを目的とする。
【０００７】
【課題を解決するための手段】
請求項１記載の発明の事務機は、印字部を内蔵した印字装置と、前記印字装置の前面に設けられた表示部と、前記印字装置の前面に設けられた入力装置と、前記印字装置にその後方から連続紙を給紙するトラクタと、前記トラクタの上部に配置されて前記印字装置に後端上がりの傾斜で保持した単票を給紙するオートシートフィーダと、前記印字装置の後方に配置されて前記オートシートフィーダを給紙位置と前記トラクタの上面を開放する後方位置とのいずれかの位置で選択的に支持する支持手段と、前記印字装置に設けられた前記トラクタが連結される給紙口と前記オートシートフィーダが連結される給紙口とが連絡し、それぞれの給紙口から給紙された単票又は連続紙を前記印字部経由で前記印字装置の上面に導き後方側に向けて排紙させる用紙搬送路と、前記印字装置の上方で一端を回動自在に支持され、排紙された前記単票が立てかけ状態で積載されるスタック位置と、他端を前記オートシートフィーダの後端近傍へ位置させるカバー位置と、前記他端を前面側へ位置させた給紙作業用位置とのいずれかの位置に選択的に位置決め可能に設けられた排紙受けとを備え、前記カバー位置に位置する前記排紙受けで前記オートシートフィーダを覆い、前記トラクタから給紙されて前記印字部で印字された連続紙の先端が前記オートシートフィーダ内に入り込むことを防止できるようにした。
【０００９】
請求項２記載の発明は、請求項１記載の発明の事務機であって、前記排紙受けは、前記印字装置の上方で一端を回動自在に支持された第一排紙受けとこの第一排紙受けよりも短い第二排紙受けとからなり、前記第二排紙受けは、前記第一排紙受けに重なる位置と前記第一排紙受けの他端から延出する位置とのいずれかの位置に選択的に位置決め可能に設けられている。
【００１０】
したがって、必要に応じて排紙受けの長さを変える事ができる。
【００１１】
【発明の実施の形態】
本発明の事務機の実施の一形態について、図面に基づいて説明する。本実施の形態の事務機は、単票や連続紙に印字して発行するものであって、印字装置１とオートシートフィーダ２とトラクタ３とを備える。図１〜図３は、印字装置１とこの印字装置１に連結されたオートシートフィーダ２及びトラクタ３との概略構成を示す縦断右側面図であって、図１はオートシートフィーダ２から単票Ｓを給紙して印字する状態を示し、図２はトラクタ３から連続紙Ｔを給紙して印字する状態を示し、図３はトラクタ３に連続紙Ｔをセットする際の状態を示している。オートシートフィーダ２は、単票Ｓの紙面を前方へ向け、水平に対して４５°傾いた状態に取り付けられている。また、トラクタ３は、連続紙Ｔの紙面をやや後方へ向け、水平に対して１５°傾いた状態に取り付けられている。
【００１２】
まず、印字装置１の本体ケース４内には印字部５が設けられている。この印字部５はキャリア（図示せず）に搭載されたドットプリントヘッド６と、このドットプリントヘッド６に対向する平型のプラテン７とにより形成されている。ドットプリントヘッド６が搭載されたキャリアはキャリアシャフト（図示せず）により移動自在に支持され、駆動部（図示せず）により往復駆動されるように構成されている。
【００１３】
また、本体ケース４の前面には表示部であるＬＣＤ８が設けられ、その下方には入力装置であるキーボード９が設けられている。さらに、本体ケース４の内部には、キーボード９の近傍に形成された手差口１０から印字部５に至る用紙搬送路１１と、本体ケース４の後面に形成された給紙口１２，１３を用紙搬送路１１に接続する用紙搬送路１４とが形成されている。用紙搬送路１１には対をなす複数組の搬送ローラ１５が配列され、印字部５の上部には、印字済みの用紙を第一排紙受けである排紙トレイ１６及び第二排紙受けであるサブトレイ１７からなる排紙受け１８に向けて排紙する排紙ローラ１９が配列されている。もう一つの用紙搬送路１４には、オートシートフィーダ２により給紙口１２から給紙される単票Ｓ、或いはトラクタ３により給紙口１３から給紙される連続紙を印字部５に向けて搬送する搬送ローラ２０が設けられている。
【００１４】
サブトレイ１７の一端は、排紙トレイ１６の先端に回動自在に取り付けられており、サブトレイ１７は、排紙トレイ１６に重なる位置（図１又は図３参照）と排紙トレイ１６の先端から延出する位置（図２参照）とのいずれかに選択的に配置される。
【００１５】
排紙トレイ１６は、一端を本体ケース４の上面に回動自在に取り付けられており、図１に示すスタック位置と、図２に示すカバー位置と、図３に示す給紙作業用位置との三箇所で位置決め可能に設けられている。スタック位置は、水平に対して６０°傾いた位置で、この位置では、排紙された単票Ｓが紙面を前方へ向けて立てかけ状態で積載される。カバー位置は、水平に対して２０°傾いた位置で、排紙トレイ１６の先端から延出する位置へ位置させたサブトレイ１７の先端をオートシートフィーダ２の上端近傍へ位置させる。そして、給紙作業用位置では、先端を前面側へ位置させ、印字装置１の後方を覗き込むことを容易にしている。
【００１６】
本体ケース４の後部両側には支持体２１が相対向して固定的に設けられ、これらの支持体２１によってトラクタ３及びオートシートフィーダ２が支持されている。オートシートフィーダ２は、筐体２２の内部に、スプリング２３により上方に付勢された底板２４と、この底板２４に載置された単票Ｓを一枚ずつ給紙する給紙ローラ２５と、この給紙ローラ２５により給紙された単票Ｓの重送を防止する分離ローラ２６と、これらの給紙ローラ２５及び分離ローラ２６を駆動するモータ（図示せず）とを具備する。なお、印字装置１は、トラクタ３による連続紙の給紙、オートシートフィーダ２による単票Ｓの給紙、手差口１０からの種々の用紙の給紙を選択することができる。
【００１７】
ここで、オートシートフィーダ２を印字装置１の背面に近接する位置（以下、給紙位置と称する）とトラクタ３の上面を開放する離反位置（以下、後方位置と称する）との間で移動自在に支持し、オートシートフィーダ２を給紙位置と後方位置とのいずれかの位置に選択的に位置決めする支持手段２７の構成について説明する。
【００１８】
本体ケース４の後部両側に固定された相対向する支持体２１は、後端を連結部材（図示せず）により連結されている。オートシートフィーダ２の筐体２２を両側から支持するブラケット２８には、給紙方向と直交する通しシャフト（図示せず）が固定され、この通しシャフトの両端部には、異形軸２９が一体に形成されたギヤ（図示せず）が固定的に嵌合されている。異形軸２９は円筒部２９ａの回転軸心について対称な二箇所に切欠部２９ｂを形成した断面形状をもつ。
【００１９】
支持体２１には、異形軸２９の切欠部２９ｂを摺動自在に案内する長孔部３０ａとこの長孔部３０ａの後端から拡開されて異形軸２９の回動運動を許容する拡開円孔部３０ｂとを有するガイド溝３０が形成されている。また、支持体２１には、異形軸２９に一体に形成されたギヤに噛合される歯がラック状に形成された可動部材（図示せず）をガイド溝３０に沿って案内する伝達機構が設けられている。
【００２０】
トラクタ３に連続紙Ｔを補給する際には、オートシートフィーダ２を図１及び図２に示す状態から図３に示す状態へ後退させる。まず、異形軸２９と一体のギヤに噛合された可動部材を伝達機構により後退させると、異形軸２９はガイド溝３０の長孔部３０ａ内を後方へ向かってスライドする。このとき、オートシートフィーダ２も長孔部３０ａの長手方向に平行に後退する。次に、異形軸２９は、拡開円孔部３０ｂに至ると、可動部材が後退しても後方へのスライドが妨げられるので、拡開円孔部３０ｂ内を図面における時計回り方向に回動し始める。このとき、オートシートフィーダ２も回動する。そして、可動部材がその移動範囲の最後部に至ると、異形軸２９は回動を停止し、したがって、オートシートフィーダ２の回動も停止する。ここで、このときのオートシートフィーダ２は、紙面をやや後方へ向け、鉛直に対して７４°傾いている。さらに、オートシートフィーダ２と本体ケース４との間には、１２０ｍｍの隙間が形成される。
【００２１】
逆に、図３の状態にあるオートシートフィーダ２を図１及び図２の状態に戻す際には、移動機構を逆に動作させて、可動部材を前進させる。可動部材が前進すると、可動部材に噛合しているギヤと一体の異形軸２９は、拡開円孔部３０ｂ内を図面における反時計回り方向に回動し、切欠部２９ｂが長孔部３０ａに平行になると、異形軸２９が長孔部３０ａ内を前方へスライドし始め、可動部材がその移動範囲の最前部に至ると、異形軸２９はスライドを停止し、したがって、オートシートフィーダ２の移動も停止する。
【００２２】
このような構成において、本実施の形態の事務機が図４及び図５に示すように壁面から８０ｍｍ離して設置された奥行き７００ｍｍの机に置かれて使用される場合を一例として説明する。図４は、事務機使用時の状態を示し、図５は、トラクタ３への連続紙Ｔの補給時の状態を示している。
【００２３】
まず、使用時には、図４に示すように、事務機の前端が机の前端から１００ｍｍ程度奥に位置するように設置する。事務機は全長６５０ｍｍであるので、この状態では、支持体２１の後端から壁面まで、３０ｍｍ程度の余裕がある。この状態であると、キーボード９を操作する際に、操作者の腕を置くスペースが確保されて、操作性が良好である。
【００２４】
オートシートフィーダ２又は手差口１０から給紙される単票Ｓを印字発行する場合には、排紙トレイ１６をスタック位置に位置させる（図１参照）。単票Ｓのサイズが大きい場合には、サブトレイ１７を排紙トレイ１６から延出する位置へ位置させて用いる。
【００２５】
トラクタ３から給紙される連続紙Ｔに印字する場合には、サブトレイ１７を排紙トレイ１６から延出する位置へ回動し、サブトレイ１７の先端がオートシートフィーダ２の上端へ近接するカバー位置へ位置させる（図２参照）。この状態では、連続紙Ｔは、二点鎖線で示す経路にしたがって搬送され、排紙後は、排紙トレイ１６及びサブトレイ１７に導かれてオートシートフィーダ２の後端へ回り込む。したがって、オートシートフィーダ２がカバーを備えていなくても、連続紙Ｔの先端がオートシートフィーダ２内へ入り込むことがない。
【００２６】
トラクタ３への連続紙Ｔの補給時には、図５に示すように、事務機を机の前端側へ移動させてから、オートシートフィーダ２を後退させる。オートシートフィーダ２を後退させた状態の事務機の全長は７５０ｍｍであるので、少なくとも７０ｍｍ以上手前へ移動させれば、オートシートフィーダ２が壁面にぶつかることがない。つまり、キーボード９が机からはみ出さない程度の移動量でよいことになる。
【００２７】
操作者がＬＣＤ８に向かって立つとすると、トラクタ３への連続紙Ｔの補給は、印字装置１越しに行うこととなるが、オートシートフィーダ２を後退させてオートシートフィーダ２と本体ケース４との間に１２０ｍｍの隙間を形成し、サブトレイ１７を畳んだ状態で排紙トレイ１６を前方へ倒した給紙作業用位置に位置させることにより、作業に充分な視界を得ることができる（図３参照）。
【００２８】
以上のように、本実施の形態によれば、トラクタ３に連続紙を補給する場合には、オートシートフィーダ２を給紙位置から後方位置に後退させてトラクタ３の上方空間を開放することができるため、印字装置１の前面側からのトラクタ３の見通しをよくすることができる。これにより、連続紙の補給を容易に行うことができる。
【００２９】
この場合、オートシートフィーダ２をその前部が上方へ向かうように回動させることができるので、オートシートフィーダ２の後方への移動距離を長くしなくてもトラクタ３の上方空間を広く開放することができる。したがって、奥方向への設置スペースを短縮することができる。また、奥方向へのスペースを広げる必要がない分だけ、キーボード９の手前側にオペレータの腕を置くスペースを確保することができる。
【００３０】
さらに、図１に示すように、オートシートフィーダ２が給紙位置に位置する状態では、前端が印字装置１の本体ケース４の内部に入り込んでいるが、オートシートフィーダ２を給紙位置から後方位置に向けて直線方向に移動自在に支持するとともに、給紙位置から後方位置に向けて一定距離離れた任意位置で前部が上方に向けて回動させることができるため、オートシートフィーダ２を印字装置１に干渉させることなく回動させてトラクタ３の上方空間を開放することができる。これにより、本体ケース４の後面にオートシートフィーダ２との干渉を避けるための凹状の逃げを形成する必要がない。これにより、本体ケース４の後面のデザインを損なうことがない。
【００３１】
なお、本実施の形態では、サブトレイ１７の一端は排紙トレイ１６の先端に回動自在に取り付けられているが、実施にあたっては、サブトレイ１７が排紙トレイ１６にスライド自在に取り付けられていて、スライドに従ってサブトレイ１７が排紙トレイ１６に重なる位置と排紙トレイ１６の先端から延出する位置とのいずれかに選択的に配置されるのであってもよい。
【００３２】
【発明の効果】
請求項１記載の発明によれば、連続紙を排紙する際には、排紙受けをカバー位置に位置させることによって、排紙受けでオートシートフィーダを覆い、オートシートフィーダがカバーを備えていなくても、連続紙の先端がオートシートフィーダ内に入り込むことを防止し、連続紙の排紙経路を確保することができる。
【００３３】
請求項２記載の発明では，請求項１記載の発明において、排紙受けは、印字装置の上方で一端を回動自在に支持された第一排紙受けとこの第一排紙受けよりも短い第二排紙受けとからなり、第二排紙受けは、第一排紙受けに重なる位置と第一排紙受けの他端から延出する位置とのいずれかの位置に選択的に位置決め可能に設けられているので、必要に応じて排紙受けの長さを変えることができる。よって、排紙受けをカバー位置に位置させた状態で、排紙受けの先端がオートシートフィーダの上端まで充分届くだけの長さを持たせるとともに、それだけの長さが不用であるときには短くすることができる。
【図面の簡単な説明】
【図１】本発明の実施の一形態における事務機の概略構成を示すとともに、オートシートフィーダから給紙される単票に印字する状態を示す事務機の縦断右側面図である。
【図２】トラクタから給紙される連続紙に印字する状態を示す事務機の縦断右側面図である。
【図３】トラクタへ連続紙を補給する状態を示す事務機の縦断右側面図である。
【図４】事務機を机上に載置した状態の一例を示す右側面図である。
【図５】机上に載置した事務機のトラクタへ連続紙を補給する状態を示す右側面図である。
【符号の説明】
Ｓ        単票
Ｔ        連続紙
１        印字装置
２        オートシートフィーダ
３        トラクタ
５        印字部
８        表示部
９        入力装置
１１，１４  用紙搬送路
１２，１３  給紙口
１６        第一排紙受け
１７        第二排紙受け
１８        排紙受け
２７        支持手段
【図１】
0003776633.tif 000002
【図２】
0003776633.tif 000003
【図３】
0003776633.tif 000004
【図４】
0003776633.tif 000005
【図５】
0003776633.tif 000006